(57)【要約】      （修正有）【課題】個人線量計を手軽に身に着け、外部の電磁波からも遮蔽可能な線量計ポーチを提供する。【解決手段】個人線量計１０２を身に着けるための線量計ポーチ１００であって、個人線量計を収容する袋状の本体部１０８と、本体部の開口１１０に被さるフラップ１１２と、本体部の内部に設けられ、個人線量計を包囲する電波遮蔽シート１１６と、本体部のうちフラップとは反対側に設けられるベルトループと、を備える。【選択図】図１
0003215981.tif 000002
【実用新案登録請求の範囲】
【請求項１】
個人線量計を身に着けるための線量計ポーチであって、
前記個人線量計を収容する袋状の本体部と、
前記本体部の開口に被さるフラップと、
前記本体部の内部に設けられ、前記個人線量計を包囲する電波遮蔽シートと、
前記本体部のうち前記フラップとは反対側に設けられるベルトループと、
を備えることを特徴とする線量計用ポーチ。
【請求項２】
当該線量計ポーチはさらに、前記フラップを前記本体部に留めるスナップボタンを備えることを特徴とする請求項１に記載の線量計用ポーチ。
【請求項３】
前記本体部および前記フラップは、素材が布地であることを特徴とする請求項１または２に記載の線量計用ポーチ。
【考案の詳細な説明】
【技術分野】
【０００１】
本考案は、個人線量計を身に着けるための線量計ポーチに関する。
【背景技術】
【０００２】
近年、放射線に対する意識の高まりに伴って、持ち歩き可能な個人線量計の普及が進んでいる。個人線量計は、日常生活における個人線量を計測し把握することを可能にするため、目に見えない放射線に対する不安を取り除き、また健康リスクの低減を図るうえで有効な装置である。
【０００３】
一般に普及している個人線量計は、主に半導体式の放射線検出器を利用することで、寸法が１０ｃｍ以下で重量も数十ｇから百数十ｇ程度と、非常にコンパクトな構成になっている。これら個人線量計は、衣服のポケットに入れる他、ストラップを付けて首から掲げて身に着けることが可能になっている（例えば特許文献１）。
【先行技術文献】
【特許文献】
【０００４】
【特許文献１】特開２００９−１２８００８号公報
【考案の概要】
【考案が解決しようとする課題】
【０００５】
しかしながら、女性用の上着は、男性用の上着に比べてポケットが少なく、特に胸ポケットの無いデザインのものも多い。また、上述したように個人線量計はストラップで首から掲げることも可能であるが、胸元で揺れ動くため、作業の邪魔になったり、人前に出る際に気になってしまったりすることもある。これらの結果、場合によっては個人線量計の利用そのものが敬遠されてしまうおそれがある。
【０００６】
また、個人線量計は、携帯電話の電波、例えば着信時の高周波ノイズ等に反応するおそれがあるため、携帯電話から離して使用するよう推奨されている。しかしながら、携帯電話が生活の必需品となった現在では、両装置が不意に接近することも起こり得る。例えば、両装置を身に着けている場合だけでなく、屋内の限られた箇所にのみコンセントが存在している状況では、両装置の充電が同じ箇所にて同時に行われる場合もある。その場合、個人線量計が携帯電話の電波に反応してしまう可能性が高まる。
【０００７】
本考案は、このような課題に鑑み、個人線量計を手軽に身に着け、外部の電磁波からも遮蔽可能な線量計ポーチを提供することを目的としている。
【課題を解決するための手段】
【０００８】
上記課題を解決するために、本考案にかかる線量計ポーチの代表的な構成は、個人線量計を身に着けるための線量計ポーチであって、個人線量計を収容する袋状の本体部と、本体部の開口に被さるフラップと、本体部の内部に設けられ、個人線量計を包囲する電波遮蔽シートと、本体部のうちフラップとは反対側に設けられるベルトループと、を備えることを特徴とする。
【０００９】
上記の線量計ポーチによれば、ベルトループを使用してズボンのベルトなどに装着することが可能になっているため、首から提げるストラップ等に比べて、揺れ動くことも目立つことも無く、個人線量計を負担なく手軽に持ち歩くことが可能になる。また電波遮蔽シートが備えられているため、近くに携帯電話が存在していてもその電波を遮蔽し、放射線計測の精度を保つことが可能になっている。なお、上記の電磁波遮蔽シートとしては、携帯電話で用いられる周波数帯の電波を遮蔽し、放射線の周波数帯を透過させるものを採用することで、放射線計測に支障をきたすことはなくなる。
【００１０】
当該線量計ポーチはさらに、フラップを本体部に留めるスナップボタンを備えてもよい。スナップボタンであれば、フラップを本体部に簡単に留められるだけでなく、フラップを閉じたままでも充電ケーブル等を通す程度の隙間を生むことが可能になる。すなわち、上記構成であれば、個人線量計を収容したままでの充電が可能になり、個人線量計を出し入れする機会を減らし、携帯電話等の外部の電波からより十全に保護することが可能になる。
【００１１】
上記の本体部およびフラップは、素材が布地であるとよい。布地であれば、機能や模様の自由度が高く、例えば撥水性の素材を用いたり、装飾性を高めたりすることも可能となる。
【考案の効果】
【００１２】
本考案によれば、個人線量計を手軽に身に着け、外部の電磁波からも遮蔽可能な線量計ポーチを提供することが可能になる。
【図面の簡単な説明】
【００１３】
【図１】本考案の実施形態にかかる線量計ポーチの概要を示す図である。
【図２】線量計ポーチの概要を示す図である。
【図３】線量計ポーチの本体部の裏側を示す図である。
【図４】線量計ポーチに収容した個人線量計の充電する様子を示す図である。
【考案を実施するための形態】
【００１４】
以下に添付図面を参照しながら、本考案の好適な実施形態について詳細に説明する。かかる実施形態に示す寸法、材料、その他具体的な数値などは、考案の理解を容易とするための例示に過ぎず、特に断る場合を除き、本考案を限定するものではない。なお、本明細書及び図面において、実質的に同一の機能、構成を有する要素については、同一の符号を付することにより重複説明を省略し、また本考案に直接関係のない要素は図示を省略する。
【００１５】
図１は、本考案の実施形態にかかる線量計ポーチ１００の概要を示す図である。図１（ａ）は、線量計ポーチ１００と個人線量計１０２の全体を示している。当該線量計ポーチ１００は、個人線量計１０２を手軽に身に着けるための装置であり、個人線量計１０２を外部の電磁波から遮蔽する機能も有している。
【００１６】
個人線量計１０２としては、一般に普及する小型の携帯用線量計を想定している。構成の一例として、個人線量計１０２は、半導体検出器を利用して空間γ線線量率を測定するものであって、小型の筐体１０４に表示部１０６を備え、ボタン型電池や小型の充電池で稼働する構成となっている。
【００１７】
ここで、放射線とは、物質粒子（α線、β線、中性子線、陽子線、重イオン線、中間子線などの粒子放射線）と、電磁波（γ線やＸ線など）の総称である。放射性物質がどのような放射線を出すかは物質によって定まり、例えばヨウ素１３１やセシウム１３４、セシウム１３７はβ線とγ線を出す。一方、線量計が何を計数するかは線量計の方式によって定まり、例えばガイガーミュラー管はβ線を計数するが、ＮａＩシンチレータやＣｓＩシンチレータ、ＧｅやＳｉ半導体などはγ線のみを計数する。ガイガーミュラー管は小型化しにくいため、普及型の小型の線量計はシンチレータを用いたものが主である。すなわち、小型の線量計は電磁波（γ線）を測定するため、携帯電話に用いられる電磁波も拾ってしまう場合がある。
【００１８】
図１（ｂ）は、線量計ポーチ１００に個人線量計１０２を収容した様子を示す図である。本体部１０８は、開口した袋状の部位であって、個人線量計１０２を収容する。フラップ１１２は、本体部１０８の開口１１０に被さる部位であって、閉じることで個人線量計１０２を覆い隠す。フラップ１１２と本体部１０８とには対になるスナップボタン１１４（フラップ側の部品１１４ａ、本体部側の部品１１４ｂ）が複数個所に設けられていて、フラップ１１２はこれらスナップボタン１１４によって本体部１０８に簡単に留めることが可能になっている。
【００１９】
本体部１０８およびフラップ１１２は、素材に布地が用いられている。布地を用いることで、当該線量計ポーチ１００の機能や模様の自由度を高めることができる。例えば、本実施形態では、動物柄の布地（図２（ｂ）参照）を使用することで装飾性を高め、個人線量計１０２を子供や女性にも抵抗なく身に着けてもらえるよう工夫している。その他、水を弾く撥水性の素材を用いることで、作業中にも汚れにくい構成とすることも可能である。
【００２０】
図２は、図１に続いて、線量計ポーチ１００の概要を示す図である。図２（ａ）は、個人線量計１０２を収容した線量計ポーチ１００の内部の様子を示す図である。本体部１０８の内部には、電波遮蔽シート１１６が縫製されている。電波遮蔽シート１１６は、所定の金属などを利用した電磁波遮蔽材をシート状にしたものであって、主に携帯電話に起因した電波を反射吸収する。電波遮蔽シート１１６は、本体部１０８の内側とフラップ１１２の一部とを覆っている。
【００２１】
図２（ｂ）は、線量計ポーチ１００のフラップ１１２を閉じた様子である。フラップ１１２を閉じることで、個人線量計１０２（図２（ａ）参照）は電波遮蔽シート１１６によって包囲される。個人線量計１０２は、上記したように、携帯電話が近くに存在すると、その着信時の高周波ノイズに反応して異常値を検出してしまうおそれがある。そこで、当該線量計ポーチ１００では、電波遮蔽シート１１６に、携帯電話で使用される周波数帯を遮蔽し、その他の放射線を透過する性質のものを採用している。市販の電磁波遮蔽材は遮蔽できる周波数帯が決まっており、カットアウト周波数帯は１０＾４〜１０＾９Ｈｚである。一方、放射線の周波数帯は１０＾１６〜Ｈｚであるため、この電磁波遮蔽材でγ線（放射線）が遮断されてしまうことはない。当該線量計ポーチ１００であれば、近くに携帯電話が存在していてもその電波を遮蔽し、放射線計測の精度を保つことが可能である。
【００２２】
図３は、線量計ポーチ１００の本体部１０８の裏側を示す図である。図３（ａ）は、本体部１０８の裏側であって、本体部１０８のうちフラップ１１２に覆われる表側とは反対側の様子である。本体部１０８の裏側には、ベルトループ１１８が２つ設けられている。ベルトループ１１８は、左右に開いたループ状の部位であって、ズボンのベルト１２０（図３（ｂ）参照）などを通すことが可能になっている。
【００２３】
図３（ｂ）、ベルトループ１１８にベルト１２０を通した様子である。当該線量計ポーチ１００は、ベルトループ１１８を利用して、衣服に身に着けることが可能になっている。ズボンのベルト１２０に装着する構成であれば、首から提げるストラップ等に比べて、揺れ動くことも目立つことも無く、個人線量計１０２（図１（ａ)参照）を負担なく手軽に持ち歩くことができる。また、上述したように、当該線量計ポーチ１００は、フラップ１１２の表側（図２（ｂ）参照）が動物柄等によって装飾されているため、個人線量計１０２を収容していても一見しただけでは気付かれ難い。当該線量計ポーチ１００であれば、人目を気にすることなく個人線量計１０２を手軽に身に着けることができ、個人線量計１０２の普及および利用の促進を図ることが可能である。
【００２４】
図４は、線量計ポーチ１００に収容した個人線量計１０２の充電する様子を示す図である。充電池を内蔵した個人線量計１０２は、充電ケーブル１２２を接続し、アダプタを介してコンセントから充電することができる。このとき、当該線量計ポーチ１００は、フラップ１１２を閉じるにあたってスナップボタン１１４（図１（ｂ）等参照）を利用していることに利点がある。
【００２５】
スナップボタン１１４（図１（ｂ）等参照）であれば、フラップ１１２を閉じたとしても、本体部１０８の開口１１０は完全には封じられず、充電ケーブル１２２等を通す程度の隙間を生むことができる。屋内などでは、コンセントの存在する箇所は限られていて、やむを得ず携帯電話と同時に充電を行うことも起こり得る。そこで、当該線量計ポーチ１００では、個人線量計１０２を収容しフラップ１１２を閉じたままでも充電することが可能になっている。このように、当該線量計ポーチ１００では、個人線量計１０２を出し入れする機会を減らし、携帯電話等の外部の電波からより十全に保護することを可能にしている。
【００２６】
以上、添付図面を参照しながら本考案の好適な実施例について説明したが、本考案は係る例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【産業上の利用可能性】
【００２７】
本考案は、個人線量計を身に着けるための線量計ポーチとして利用することができる。
【符号の説明】
【００２８】
１００…線量計ポーチ、１０２…個人線量計、１０４…筐体、１０６…表示部、１０８…本体部、１１０…開口、１１２…フラップ、１１４…スナップボタン、１１４ａ…スナップボタンのフラップ側の部品、１１４ｂ…スナップボタンの本体部側の部品、１１６…電波遮蔽シート、１１８…ベルトループ、１２０…ベルト、１２２…充電ケーブル
【図１】
0003215981.tif 000003
【図２】
0003215981.tif 000004
【図３】
0003215981.tif 000005
【図４】
0003215981.tif 000006